(57)【要約】  弦鳴楽器に属する楽器であって、応力及び歪みが軽減され、容易に組み立てられる楽器を提供する。スライディング・サドルシステムと、調整可能なストラットとによって、響板における応力を軽減する。オフセット・ヘッドを備え、弦をブリッジに対して垂直にすることを可能とし、また、楽器の応力及び歪みを軽減している。響板と裏板は、一体のカーフィングを備える。これによって、アコースティック楽器に、ボイスコイルと可動磁石を採用することが可能となる。さらに、この楽器を製作する方法を提供する。【選択図】  図１
2014519055.tif 000002
【特許請求の範囲】
【請求項１】
弦鳴楽器のスライディング・サドルシステムであって、ネックと響板と共鳴胴とを備え、
スライディング・サドルシステムは、
ｉ）響板の内面に接続するブリッジプレートと、
ｉｉ）響板に配置され、弦を受容し、それを響板のスロットを通して誘導する開口を備えるサドルと、
ｉｉｉ）弦を保持し、ブリッジプレートとスライド可能に係合しているアンダーブロックと、
ｉｖ）サドルをアンダーブロックに接続する調整可能なコネクタであって、使用の際にはアンダーブロックがブリッジプレート上の位置にスライドされて、コネクタを締めることで、サドルが響板上で位置決めされるコネクタと、を含む組み合わせを少なくとも１組有する
ことを特徴とするスライディング・サドルシステム。
【請求項２】
６組の組み合わせを有する
請求項１に記載のスライディング・サドルシステム。
【請求項３】
それぞれの組み合わせのサドルに、トランスデューサを備える
請求項２に記載のスライディング・サドルシステム。
【請求項４】
ブリッジプレートは、単一のユニットであって、サドルの長手軸に垂直なテーパを有する楔形である
請求項２に記載のスライディング・サドルシステム。
【請求項５】
ヘッドと、ネックと、ブリッジと、少なくとも１本の弦と、共鳴胴と、を備える弦鳴楽器であって、
共鳴胴は、側板と裏板と響板とを有し、響板はサウンドホールを備え、楽器は、改良としてストラットを含み、そのストラットは共鳴胴内に収容されて、ネックの遠位端と、共鳴胴の遠位端に装着されたエンドブロックとの間に延在し、また、ストラットは、ストラットを響板に近づける調整と響板から遠ざける調整を可能にするようにエンドブロックに接続されて、ネックアングル及び弦高が調整される
ことを特徴とする楽器。
【請求項６】
楽器はギターである
請求項５に記載の楽器。
【請求項７】
サウンドホールの遠位側に少なくとも１つのスロットと、スライディング・サドルシステムとを備え、スライディング・サドルシステムは、
ｉ）響板の内面に接続されたブリッジプレートと、
ｉｉ）スロット付近の響板上にスライド可能に配置されたサドルであって、弦を受容し、それを響板のスロットを通して誘導する開口を備えるサドルと、
ｉｉｉ）弦を保持するアンダーブロックであって、ブリッジプレートとスライド可能に係合しているアンダーブロックと、
ｉｖ）サドルをアンダーブロックに接続する調整可能なコネクタと、を含む組み合わせを少なくとも１組有する
請求項６に記載の楽器。
【請求項８】
ヘッドがオフセットを有する
請求項７に記載の楽器。
【請求項９】
ヘッドは、２本の弦がオフセット付近で終端し、４本の弦がオフセットと反対側で終端して、６本の弦を受容する
請求項８に記載の楽器。
【請求項１０】
響板と裏板とが、一体のカーフィング・ユニットを有する
請求項７に記載の楽器。
【請求項１１】
ネックが、一体の指板を有する
請求項７に記載の楽器。
【請求項１２】
各サドル上に配置されたトランスデューサを備える
請求項７に記載の楽器。
【請求項１３】
少なくとも１つのボイスコイルと可動磁石を備える
請求項１１に記載の楽器。
【請求項１４】
響板に周縁トーン溝を備える
請求項１１に記載の楽器。
【請求項１５】
弦鳴楽器のネック用のヘッドであって、オフセット側と、反対側と、を有し、使用時に弦がネックと平行になるように、オフセット側には、より少ない数のチューニングキーを受容する
ことを特徴とするヘッド。
【請求項１６】
ヘッドは、オフセット側に２つのチューニングキーを受容し、反対側に４つのチューニングキーを受容する
請求項１５に記載のヘッド。
【請求項１７】
弦鳴楽器を製作する方法であって、弦鳴楽器は、ヘッドと、ネックと、ブリッジと、共鳴胴とを備え、共鳴胴は、側板と裏板と響板とを有し、響板は、サウンドホールと、サウンドホールの遠位側の少なくとも１つのスロットとを有し、
スロット付近で、響板の下面にブリッジプレートを取り付けることと、
裏板と響板とを、側板に取り付けることで、共鳴胴開口を有する共鳴胴を提供することと、
ネック遠位端において、ネックにストラットを接続することと、
共鳴胴開口を通して、共鳴胴内にストラットとネックを導入し、これをその内部に装着することと、
スロットの周辺に少なくとも１つのサドルとアンダーブロックとを配置し、このとき、アンダーブロックをブリッジプレートの下に配置することと、
サドルをアンダーブロックに装着することと、を含む
ことを特徴とする方法。
【請求項１８】
ネックアングル及び弦高を調整することを含む
請求項１７に記載の方法。
【請求項１９】
サドルとアンダーブロックの配置を調整することを含む
請求項１８に記載の方法。
【請求項２０】
一体のカーフィング・ユニットを備える響板及び裏板を準備することを含む
請求項１９に記載の方法。
【発明の詳細な説明】
【技術分野】
【０００１】
本発明は、弦楽器に関し、スライディング・サドルシステム、インテリア・ストラット、オフセット・ヘッドを実現することにより、響板における応力及び歪みを軽減する。具体的には、スライディング・サドル、インテリア・ストラット、オフセット・ヘッドを備えるギターに関する。
【背景技術】
【０００２】
アコースティック弦楽器は、弦によって生じる高い応力及び歪みを受ける。楽器をチューニングするときに、弦を締めると、ネックと共鳴胴との間で力が発生することにつながる。その力を直接受けるのはブリッジである。次いで、その力は響板に間接的に作用する。このことは、ブリッジと響板の両方の損傷につながることがある。極端な場合には、楽器のネックと共鳴胴との間の接合部分を損傷することによって、ネックにも影響し得る。
【０００３】
ギターの響板と裏板の内面には、その力に対処するためのブレイシングが施される。裏板の内面には複雑なパターンのブレイシングが用いられる。楽器の製作において、弦楽器職人は、楽器のチューニングのため、ブレイシングの成形にかなりの時間を費やす。この作業を軽減するため、Ｇｒｉｆｆｉｔｈｓ（特許文献１）は、カーフィングとバインディングとブレイシングとを組み合わせたブレイシングシステムを提供している。１つのユニットは響板に用いるためのものであり、第２のユニットは裏板に用いるためのものである。
【０００４】
特許文献２では、共鳴胴内でギターのブリッジとネックに取り付けられ、好ましくはケブラー、カーボンファイバ、または類似の非弾性材で構成された追加のストリングまたはケーブルを使用することによって、力のカウンタバランスのためにブレイシングシステムを用いている。ブラケットが、楽器の共鳴胴の内部に配置されて、楽器のブリッジの底部に取り付けられる。これは、非弾性ストリングによってアジャスタブル・ブレースに接続される。弦にかかる張力をアジャスタブル・ブレースによって調整することで、張力のカウンタバランス量を制御することができる。このシステムは、単に力をカウンタバランスするだけであって、力を軽減するものではない。
【０００５】
楽器への応力の別の原因は、ヘッドとブリッジとの間で、弦がブリッジに垂直となるようなアライメントが得られないことによって生じる。これによって、弦による捩り力がブリッジと共鳴胴に作用する。
【先行技術文献】
【特許文献】
【０００６】
【特許文献１】米国特許第６３３３４５４号
【特許文献２】米国特許第７４６２７６７号
【発明の概要】
【発明が解決しようとする課題】
【０００７】
多くの楽器が、ブリッジ及び響板への力と、ネック及び共鳴胴への力という２つの力によって損傷されるにもかかわらず、弦楽器業界は、作用する力を軽減するための変更を実施することに消極的であり、楽器が健全であることよりも楽器の「外観」を保つことを優先している。
【０００８】
本発明は、弦鳴楽器に属する楽器において、弦により作用する力を軽減するための組み合わせを提供する。
【課題を解決するための手段】
【０００９】
本発明の１つの態様は、響板の張力を軽減するスライディング・サドルシステムであり、これによって、張力の多くが取り除かれるので、表板は、強度のためのブレイシングを最小限として自由に共鳴することが可能となる。また、スライディング・サドルシステムによって、各弦のイントネーション調整も容易となる。
【００１０】
別の態様は、ネック遠位端から共鳴胴の遠位端まで、より具体的には共鳴胴の遠位端に配置されたエンドブロックまで延在するストラットである。ストラットは、響板に近づける調整と響板から遠ざける調整を可能にする粗調整器及び微調整器を有する。ストラット位置を調整することによって、ネックアングルと弦高を調整する。
【００１１】
本組み合わせのさらに別の態様は、オフセット・ヘッドである。オフセット・ヘッドは、２つのチューニングキーを有し、オフセットと反対側に４つのチューニングキーを有する。これによって、ギターのナットにおける応力及び歪みを軽減する。
【００１２】
本発明によって、さらに、響板及び裏板と一体になったカーフィング・ユニットを提供する。これによって、弦楽器の簡単かつ迅速な組み立てが可能となり、また、従来のバインディング及びカーフィングよりも７０％小さいので、より多くの共鳴領域が提供される。さらに、製作の工程数も減少する。
【００１３】
本発明の別の態様は、周縁チューニング溝である。
【００１４】
さらに、上記の特徴を備える弦鳴楽器を製作する方法を提供する。
【図面の簡単な説明】
【００１５】
【図１】本発明によるギターの斜視図
【図２】図１のギターの縦断面図
【図３】図１のギターの端面図
【図４】外郭を除去する前の本発明によるカーフィング・ユニットの断面図
【図５】本発明のよるスライディング・サドルシステムの平面図
【図６】図１の技術によるネック領域の分解図
【図６Ａ】図１の技術による響板の平面図
【図７】図１の技術の縦断面図
【発明を実施するための形態】
【００１６】
全体を１０と称してギターを図１に示している。ギターは、ヘッド１２と、そこから延出するネック１４とを備える。
ネック１４は、全体を１６と称する共鳴胴に、その共鳴胴１６の基端１８において接続されている。共鳴胴１６は、その共鳴胴１６の表板を形成する響板２０と、側板２２とを有する。響板２０は、「周縁トーン溝」２１と呼ぶ狭幅の深さ２ｍｍの溝を周縁に沿って有する。トーン溝２１によって、響板２０に、より弾力を持たせることができる。サウンドホール２４が響板２０の中心に位置している。さらに、弦２８の本数に対応する数のスロット２６が響板２０に配置されている。ヘッド１２に、チューニングキー３０を備えている。従来技術では、ヘッドは対称であって、ヘッド１２の両側に同数のチューニングキー３０がある。これに対して、本発明のヘッド１２は、オフセット３２を有する。オフセット３２と同じ側には２つのチューニングキー３０が配置されていて、オフセット３２と反対側には４つのチューニングキー３０が配置されている。これによって、弦２８は、ヘッド１２と、全体を３４と称するスライディング・サドルシステムとの間で、平行に、かつスライディング・サドルシステム３４に垂直に、延在することが可能となる。可動磁石３５を備えた固定ボイスコイルが、共鳴胴１６を動かすために設けられる。
【００１７】
図２に示すように、共鳴胴１６は、響板２０の内面４０と、側板２２の内面４２（図４を参照）と、裏板４６の内面４４とによって画定されていることが分かる。
ネックは、ネックブロック４８に取り付けられていて、フレット２９を備えた一体の指板を有している。弦２８は、フレット２９とナット３１の上を通って、従来技術のギターにあるようなブリッジまたは従来技術のバイオリンにあるようなテールピースと係合しているピンを終端とするのではなく、全体を３４と称するスライディング・サドルシステムを終端としている。
【００１８】
図２は、さらにストラット５０を示していて、これは、遠位内面５４に配置されたエンドブロック５２に当接して、ボルト５６またはストラップペグによって調整可能に取り付けられている。
図３に示すように、ボルト５６は、遠位端１００においてエンドブロック５２と側板２２の双方における略垂直なスロット５８（この文脈において垂直とは、響板２０と裏板４６との間の間隔に延在することを意味する）を通って延在している。矢印は、ボルト５６の位置をどのように調整することができるのかを示している。エンドブロック５２に微調整ネジ６０が垂直に配置されて、ボルト５６に当接している。調整によって、ストラット５０の有効長、すなわち（図２に示すように）共鳴胴１６の、全体を１００と称する遠位端と全体を１８と称する基端との間の距離が、変更される。さらに重要なことは、この調整によって、ネックアングルを調整することにより弦高の調整が可能であるということである。このことは、弦の折れ角が変更されないことから、さらに有益である。プレート６２が、ストラット５０の上面６４に配置されて、ネック１４にそのネック遠位端６６で当接している。
【００１９】
図４に示すように、製作時には、全体を１０４と称するカーフィング・ユニットが、裏板４６及び響板２０と一体となっている。
カーフィング・ユニット１０４は、内郭１０６及び外郭１０８と、それらの間の谷部１１０から構成される。ユニット１０４は、裏板４６と響板２０の周囲を取り巻いている。側板２２は、谷部１１０に装着されて、定位置に接着される。次いで、共鳴胴１６の構造的支持を提供するために一体のカーフィング・ユニット１０４を残して、ルータ加工またはレーザカッタなどにより外郭１０８を除去する。カーフィング・ユニット１０４は、従来のカーフィングよりもかなり小さく、ギター１０の製作の際に、その製作と使用の両方がより簡単となる。さらに、バインディングが必要ない。
【００２０】
（図１に示す）スライディング・サドルシステム３４は、一連のサドル１２０と、一連のコネクタ１２２と、一連のアンダーブロック１２４と、ブリッジプレート１２６とで構成される。サドル１２０、コネクタ１２２、及びアンダーブロック１２４の数は、弦２８の本数及びスロット２６の数に相当する。図５に示すように、それぞれのサドル１２０は、コネクタ１２２によってアンダーブロック１２４と係合している。ブリッジプレート１２６は、共鳴胴１６内に配置されて、ギター１０のネック１４に向かって最も厚くなるように遠位でテーパ状になっていて、すなわち、サドルの長手軸に対して垂直に、遠位に向けて先細りになっている。これは、響板２０の内面４０に接着されて、スロットが形成されている。アンダーブロック１２４は、ブリッジプレート１２６に当接している。コネクタ１２２は調整可能であり、緩めることで、サドル１２０、コネクタ１２２、及びアンダーブロック１２４を、近位と遠位にスロット２６内で動かすことができる。従って、このサドル１２０とコネクタ１２２とアンダーブロック１２４の組み合わせにより、各弦２８のイントネーションを調整することと、本来なら従来のギターのブリッジ及び響板に存在するであろう張力を取り除くことと、その両方が可能となる。これによって、響板２０は、構造的支持及び共鳴膜としてではなく、共鳴膜としてのみ機能することができる。
【００２１】
それぞれのサドル１２０は、弦２８と係合するための楔形の開口を基端に備える。弦２８は、楔形の開口を通過し、さらに響板２０とブリッジプレート１２６の両方のスロット２６を通過する。弦２８は、図５に示すように、アンダーブロック１２４の下面１２９の凹部１２８で終端する。
【００２２】
別の実施形態では、コネクタ１２２はサドル１２０と一体であり、そのユニットは、プラスチックポリマなどの材料で構成される。
【００２３】
いずれの実施形態においても、響板２０の応力を軽減するためには、少なくとも２つの平面（上下と左右）における好ましくは円軌道であるサドル１２０の結果的な動きによって、かき鳴らしたときの弦２８の円軌道の動きが得られることが好ましく、従って、いずれの実施形態においても、コネクタ１２２は、一体であるか否かにかかわらず、（「実質的に回転可能」と呼ぶ）そのような動きが得られるように選択される。さらに、そのような設計によって、響板の捩り応力が軽減される。これは従来のギターとは異なり、従来のギターのピンは弦２８の上下の動きに対応するのみであるので、これによって結果的に響板に捩り応力が生じる。
【００２４】
図６に示すように、ネック１４とストラット５０を受け入れるために、共鳴胴１６に共鳴胴開口２００が設けられていることが分かる。これらは組み立てられてから、ユニットとして取り込まれる。ネック１４と、フレット２９を備えた一体の指板とは、サウンドホール２４の延長部であるサウンドホール・スロット２０２に受容される。これを差込図６Ａに示している。ボルト２０４によって、ネック１４はネックブロック４８に保持される。
【００２５】
図７に示すように、サドル１２０は、それぞれトランスデューサ２０６または楽器デジタルインタフェース（ＭＩＤＩ）を備えることができる。これによって、それぞれの弦の個別処理が可能である。
【００２６】
本発明によるギターは、次のようにして極めて迅速に組み立てることができる。
【００２７】
１．ギターのボディの製作：
響板と裏板は、一体のカーフィング・ユニット１０４を備えるように機械加工される。これを用いて、ギター１０の響板２０と裏板４６に側板２２を取り付ける。接着したら、ルータ加工またはレーザ切断などにより外郭１０８を除去する。
【００２８】
２．ストラットの導入：
共鳴胴開口２００を通して、ギター１０の共鳴胴１６内に、ネック１４、ネックブロック４８、及びストラット５０をユニットとして滑り込ませる。ストラット５０は、遠位内面５４に配置されたエンドブロック５２に当接させて、ボルト５６またはストラップペグにより調整可能に取り付けられる。ボルト５６は、ギター１０の遠位端１００においてエンドブロック５２と側板２２の双方における略垂直なスロット５８（この文脈において垂直とは、響板２０と裏板４６との間の間隔に延在することを意味する）を通って延在する。ボルト５６と調整ネジ６０の双方を調整することにより、ストラットを調整する。
【００２９】
３．スライディング・サドルシステムの導入：
次いで、一連のサドル１２０を響板２０に配置し、コネクタ１２２をスロット２６に挿入し、それらをアンダーブロック１２４に装着し、さらにコネクタ１２２を締めることで、サドル１２０が響板２０上に配置され、アンダーブロック１２４がブリッジプレート１２６上に配置されるようにすることにより、スライディング・サドルシステム３４を組み立てる。
【００３０】
４．ストラットの調整：
調整は、ボルト５６を垂直スロット５８内で上下にスライドさせることで、その位置を変更することにより行われる。ネジ６０を用いて微調整が行われる。適切な配置となったら、ボルト５６を締める。これらの調整によってネックアングルが変更される。
【００３１】
５．楽器に弦を張る：
それぞれの弦２８を、サドル１２０の楔形開口に通し、スロット２６によって響板２０に通し、そして、アンダーブロックの下面１２９の凹部１２８に弦２８を押し込むことで、対応するアンダーブロック１２４の下面で弦２８を終端させることにより、楽器に弦を張る。オフセット３２によって、弦２８のアライメントがスライディング・サドルシステム３４に対して垂直に維持されることに注意して、弦２８をチューニングキー３０に巻き付ける。好ましい実施形態では、これは、２本の弦をオフセット付近のチューニングキーに取り付け、４本の弦をオフセットと反対側のチューニングキーに取り付けることを含む。
【００３２】
６．ギターのイントネーションを調整する：
スライディング・サドルシステム３４を、スロット２６内でブリッジプレート１２６に沿って近位または遠位にスライドさせる。位置決めされたら、スライディング・サドルシステム３４が響板２０及びブリッジプレート１２６上で定位置に堅固に配置されるように、コネクタ１２２を締め付ける。
【００３３】
７．弦をチューニングする：
スライディング・サドルシステム３４とストラット５０によって、弦の接触及び張力を共鳴胴から排除することができるので、共鳴胴１６を無振動または実質的に無振動とすることができる。限定するものではないが、Ａｎｔａｒｅｓ社のＡｕｔｏ‐Ｔｕｎｅ（登録商標）のようなデジタルシステムを使用して、各弦のピッチを調整及び補正することができる。このような調整は、アコースティックギターの場合、これまでは共鳴胴の振動があるために有効ではなかった。
【００３４】
実質的に無振動の共鳴胴１６が得られるようにギター１０が調整される場合は、可動磁石３５を備えた固定ボイスコイルを用いて、響板２０の動きを制御することが可能である。
【００３５】
上記は、本発明の実施形態についての説明である。当業者であれば分かるように、本発明の範囲を変更することなく変形例が企図される。
例えば、楽器は、６弦より多くの弦または６弦より少ない弦を有するものであってもよく、また、ギターである必要はなく、例えば、限定するものではないが、バイオリン、ウクレレ、リュート、またはマンドリンなど、弦鳴楽器に属する任意の楽器とすることができる。弦が複数であるにもかかわらず、オフセットによって、ヘッドの両側面の間でチューニングキーを不均等に分布させることが可能となり、これにより、弦をスライディング・サドルシステムに対して垂直にすることが可能である。また、１セットより多くの弦を用いることが可能であり、例えば、楽器は、６弦と１２弦の実施形態を持つものとすることができ、また、１つより多くのストラットを採用することができる。ネックとストラットとをユニット体構成とすることができ、また、ストラットは、中実部材とすることができ、あるいはトラスとすることができる。スライディング・サドルシステムは、様々な形状とすることができる。ギターは、ストラットとその関連構成要素のみを備えるものであってもよく、またはストラットとスライディング・サドルシステムの両方を備えるものであってもよい。周縁トーン溝は、一般的には響板の厚さの１／２であるが、厚さの１／４、または厚さの３／８、または厚さの５／８ほどのものとすることができ、また、限定するものではないが、例えば、周縁から１〜３ｃｍの間、より好ましくは周縁から１．５〜２．５ｃｍ、最も好ましくは周縁から２ｃｍである響板の周縁付近に配置される。
【図１】
2014519055.tif 000003
【図２】
2014519055.tif 000004
【図３】
2014519055.tif 000005
【図４】
2014519055.tif 000006
【図５】
2014519055.tif 000007
【図６】
2014519055.tif 000008
【図６Ａ】
2014519055.tif 000009
【図７】
2014519055.tif 000010
【国際調査報告】
2014519055.tif 000011
2014519055.tif 000012
2014519055.tif 000013